(57)【要約】  本開示は、伝送方法、機器およびシステムを提供する。当該伝送方法において、端末が、第１下りリンク制御チャネルを受信し、第１下りリンク制御チャネルに基づいて第１周波数領域リソースを確定し、第１周波数領域リソースで第１上りリンクシェアドチャネルを伝送することと、端末が、第１周波数領域リソースのサイズおよびパイロットシーケンスの中の各エレメントの周波数領域でのマッピング間隔または密度またはパイロット多重化因子に基づいて、端末のパイロットのシーケンス長を確定し、シーケンス長のパイロットシーケンスを生成することと、端末が、パイロットシーケンスの第１周波数領域リソースでの周波数領域開始位置を確定し、周波数領域開始位置およびマッピング間隔または密度またはパイロット多重化因子に基づいて、パイロットシーケンスを第１周波数領域リソースにマッピングして伝送することとを含む。【選択図】  図６
2019511881.tif 000002
【特許請求の範囲】
【請求項１】
端末が、第１下りリンク制御チャネルを受信し、前記第１下りリンク制御チャネルに基づいて第１周波数領域リソースを確定し、前記第１周波数領域リソースで第１上りリンクシェアドチャネルを伝送することと、
前記端末が、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成することと、
前記端末が、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することとを含む伝送方法。
【請求項２】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である請求項１に記載の伝送方法。
【請求項３】
前記パイロットのシーケンス長は、（前記第１周波数領域リソースに含まれるサブキャリア数）／Ｋであり、ここで、Ｋは、前記マッピング間隔または密度またはパイロット多重化因子である請求項１に記載の伝送方法。
【請求項４】
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである請求項１に記載の伝送方法。
【請求項５】
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアである請求項１に記載の伝送方法。
【請求項６】
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である請求項１に記載の伝送方法。
【請求項７】
前記周波数領域開始位置は、予め取り決められたルールに基づいて確定されるか、配置シグナリングによって通知される請求項１に記載の伝送方法。
【請求項８】
前記周波数領域開始位置が予め取り決められたルールに基づいて確定されることは、具体的に、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、具体的に、
ハイレイヤシグナリングによって予め周波数領域開始位置を配置すること、または、前記第１下りリンク制御チャネルによって周波数領域開始位置を通知することを含む請求項７に記載の伝送方法。
【請求項９】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項１に記載の伝送方法。
【請求項１０】
前記第１周波数領域リソースのサイズは、周波数領域伝送基本ユニットの整数倍であり、及び／または、前記第１周波数領域リソースは、周波数領域伝送基本ユニットを単位として指示を行う請求項１に記載の伝送方法。
【請求項１１】
基地局が、端末による第１上りリンクシェアドチャネル伝送用の第１周波数領域リソースを確定し、前記端末に第１下りリンク制御チャネルを送信して前記第１周波数領域リソースを通知することと、
前記基地局が、前記端末から送信される前記第１上りリンクシェアドチャネルを前記第１周波数領域リソースで受信することと、
前記基地局が、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、
前記基地局が、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することとを含む伝送方法。
【請求項１２】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である請求項１１に記載の伝送方法。
【請求項１３】
前記パイロットのシーケンス長は、（前記第１周波数領域リソースに含まれるサブキャリア数）／Ｋであり、ここで、Ｋは、前記マッピング間隔または密度またはパイロット多重化因子である請求項１１に記載の伝送方法。
【請求項１４】
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである請求項１１に記載の伝送方法。
【請求項１５】
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアである請求項１４に記載の伝送方法。
【請求項１６】
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である請求項１１に記載の伝送方法。
【請求項１７】
前記周波数領域開始位置は、予め取り決められたルールに基づいて確定されるか、配置シグナリングによって通知される請求項１１に記載の伝送方法。
【請求項１８】
前記周波数領域開始位置が予め取り決められたルールに基づいて確定されることは、具体的に、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、具体的に、
ハイレイヤシグナリングによって予め周波数領域開始位置を配置すること、または、前記第１下りリンク制御チャネルによって周波数領域開始位置を通知することを含む請求項１７に記載の伝送方法。
【請求項１９】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項１１に記載の伝送方法。
【請求項２０】
前記第１周波数領域リソースのサイズは、周波数領域伝送基本ユニットの整数倍であり、及び／または、前記第１周波数領域リソースは、周波数領域伝送基本ユニットを単位として指示を行う請求項１１に記載の伝送方法。
【請求項２１】
第１下りリンク制御チャネルを受信し、前記第１下りリンク制御チャネルに基づいて第１周波数領域リソースを確定し、前記第１周波数領域リソースで第１上りリンクシェアドチャネルを伝送することに用いられる第１受信モジュールと、
前記第１周波数領域リソースのサイズおよびパイロットシーケンスの中の各エレメントの周波数領域でのマッピング間隔または密度またはパイロット多重化因子に基づいて、端末のパイロットのシーケンス長を確定し、前記シーケンス長のパイロットシーケンスを生成することに用いられる第１確定モジュールと、
前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる伝送モジュールとを含む端末。
【請求項２２】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である請求項２１に記載の端末。
【請求項２３】
前記パイロットのシーケンス長は、（前記第１周波数領域リソースに含まれるサブキャリア数）／Ｋであり、ここで、Ｋは、前記マッピング間隔または密度またはパイロット多重化因子である請求項２１に記載の端末。
【請求項２４】
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである請求項２１に記載の端末。
【請求項２５】
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアである請求項２１に記載の端末。
【請求項２６】
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である請求項２１に記載の端末。
【請求項２７】
前記周波数領域開始位置は、予め取り決められたルールに基づいて確定されるか、配置シグナリングによって通知される請求項２１に記載の端末。
【請求項２８】
前記周波数領域開始位置が予め取り決められたルールに基づいて確定されることは、具体的に、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、具体的に、
ハイレイヤシグナリングによって予め周波数領域開始位置を配置すること、または、前記第１下りリンク制御チャネルによって周波数領域開始位置を通知することを含む請求項２７に記載の端末。
【請求項２９】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項２１に記載の端末。
【請求項３０】
前記第１周波数領域リソースのサイズは、周波数領域伝送基本ユニットの整数倍であり、及び／または、前記第１周波数領域リソースは、周波数領域伝送基本ユニットを単位として指示を行う請求項２１に記載の端末。
【請求項３１】
第１下りリンク制御チャネルを受信し、前記第１下りリンク制御チャネルに基づいて第１周波数領域リソースを確定し、前記第１周波数領域リソースで第１上りリンクシェアドチャネルを伝送し、周波数領域開始位置およびマッピング間隔または密度またはパイロット多重化因子に基づいて、パイロットシーケンスを第１周波数領域リソースにマッピングして伝送することに用いられる第１トランシーバと、
前記第１周波数領域リソースのサイズおよびパイロットシーケンスの中の各エレメントの周波数領域でのマッピング間隔または密度またはパイロット多重化因子に基づいて、端末のパイロットのシーケンス長を確定し、前記シーケンス長のパイロットシーケンスを生成し、前記パイロットシーケンスの前記第１周波数領域リソースでの周波数領域開始位置を確定することに用いられる第１プロセッサとを含む端末。
【請求項３２】
端末による第１上りリンクシェアドチャネル伝送用の第１周波数領域リソースを確定し、前記端末に第１下りリンク制御チャネルを送信して前記第１周波数領域リソースを通知することに用いられる送信モジュールと、
前記端末から送信される前記第１上りリンクシェアドチャネルを前記第１周波数領域リソースで受信することに用いられる第２受信モジュールと、
前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することに用いられる第２確定モジュールと、
前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる第３受信モジュールとを含む基地局。
【請求項３３】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である請求項３２に記載の基地局。
【請求項３４】
前記パイロットのシーケンス長は、（前記第１周波数領域リソースに含まれるサブキャリア数）／Ｋであり、ここで、Ｋは、前記マッピング間隔または密度またはパイロット多重化因子である請求項３２に記載の基地局。
【請求項３５】
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである請求項３２に記載の基地局。
【請求項３６】
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアである請求項３５に記載の基地局。
【請求項３７】
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である請求項３２に記載の基地局。
【請求項３８】
前記周波数領域開始位置は、予め取り決められたルールに基づいて確定されるか、配置シグナリングによって通知される請求項３２に記載の基地局。
【請求項３９】
前記周波数領域開始位置が予め取り決められたルールに基づいて確定されることは、具体的に、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、具体的に、
ハイレイヤシグナリングによって予め周波数領域開始位置を配置すること、または、前記第１下りリンク制御チャネルによって周波数領域開始位置を通知することを含む請求項３８に記載の基地局。
【請求項４０】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項３２に記載の基地局。
【請求項４１】
前記第１周波数領域リソースのサイズは、周波数領域伝送基本ユニットの整数倍であり、及び／または、前記第１周波数領域リソースは、周波数領域伝送基本ユニットを単位として指示を行う請求項３２に記載の基地局。
【請求項４２】
端末に第１下りリンク制御チャネルを送信して第１周波数領域リソースを通知し、前記端末から送信される第１上りリンクシェアドチャネルを前記第１周波数領域リソースで受信し、周波数領域開始位置およびマッピング間隔または密度またはパイロット多重化因子に基づいて、前記端末から前記第１周波数領域リソースで送信されるパイロットシーケンスを受信することに用いられる第２トランシーバと、
端末による第１上りリンクシェアドチャネル伝送用の第１周波数領域リソースを確定し、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定し、前記端末のパイロットシーケンスの前記第１周波数領域リソースでの周波数領域開始位置を確定することに用いられる第２プロセッサとを含む基地局。
【請求項４３】
第１下りリンク制御チャネルを受信し、前記第１下りリンク制御チャネルに基づいて第１周波数領域リソースを確定し、前記第１周波数領域リソースで第１上りリンクシェアドチャネルを伝送することと、
前記第１周波数領域リソースのサイズおよびパイロットシーケンスの中の各エレメントの周波数領域でのマッピング間隔または密度またはパイロット多重化因子に基づいて、パイロットのシーケンス長を確定し、前記シーケンス長のパイロットシーケンスを生成することと、
前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる端末と、
端末による第１上りリンクシェアドチャネル伝送用の第１周波数領域リソースを確定し、前記端末に第１下りリンク制御チャネルを送信して前記第１周波数領域リソースを通知することと、
前記端末から送信される前記第１上りリンクシェアドチャネルを前記第１周波数領域リソースで受信することと、
前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、
前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる基地局とを含む伝送システム。
【発明の詳細な説明】
【技術分野】
【０００１】
本願は、２０１６年３月３１日に中国特許庁に提出された中国特許出願２０１６１０１９７２１２．２の優先権を主張し、その全ての内容が援用によりここに取り込まれる。
【０００２】
本開示は、通信技術分野に係り、特に伝送方法、機器およびシステムに係る。
【背景技術】
【０００３】
図１は、関連技術のＬＴＥ（Ｌｏｎｇ  Ｔｅｒｍ  Ｅｖｏｌｕｔｉｏｎ）  ＦＤＤ（Ｆｒｅｑｕｅｎｃｙ  Ｄｉｖｉｓｉｏｎ  Ｄｕｐｌｅｘｉｎｇ）システムに用いられるフレーム構成タイプ１（ＦＳ１：ｆｒａｍｅ  ｓｔｒｕｃｔｕｒｅ  ｔｙｐｅ  １）の構成を示す。ＦＤＤシステムの上りリンク／下りリンク伝送で搬送波周波数が異なるものの同一のフレーム構成が使用される。各搬送波では、長さ１０ｍｓの１つの無線フレームに１０個の１ｍｓのサブフレームが含まれ、各サブフレームが長さ０．５ｍｓの２つのスロットに分けられる。上りリンク／下りリンクデータ送信のＴＴＩ（Ｔｒａｎｓｍｉｓｓｉｏｎ  Ｔｉｍｅ  Ｉｎｔｅｒｖａｌ）長は、１ｍｓである。
【０００４】
図２は、関連技術のＬＴＥ  ＴＤＤ（Ｔｉｍｅ  Ｄｉｖｉｓｉｏｎ  Ｄｕｐｌｅｘ）システムに用いられるフレーム構成タイプ２（ＦＳ２：ｆｒａｍｅ  ｓｔｒｕｃｔｕｒｅ  ｔｙｐｅ  ２）の構成を示す。ＴＤＤシステムの上りリンク／下りリンク伝送で同一周波数の異なるサブフレームまたは異なるスロットが使用される。ＦＳ２で１０ｍｓの各無線フレームが２つの５ｍｓのハーフフレームからなり、各ハーフフレームに５個の長さ１ｍｓのサブフレームが含まれる。ＦＳ２でサブフレームは、下りリンクサブフレーム、上りリンクサブフレームおよびスペシャルサブフレームの３種類ある。各スペシャルサブフレームは、下りリンクパイロット、下りリンクサービスデータおよび下りリンク制御シグナリングの伝送が可能なＤｗＰＴＳ（Ｄｏｗｎｌｉｎｋ  Ｐｉｌｏｔ  Ｔｉｍｅ  Ｓｌｏｔ）と、信号伝送が行われないＧＰ（Ｇｕａｒｄ  Ｐｅｒｉｏｄ）と、ランダムアクセスとＳＲＳ（Ｓｏｕｎｄｉｎｇ  Ｒｅｆｅｒｅｎｃｅ  Ｓｙｍｂｏｌ）のみが伝送され、上りリンクサービスデータまたは上りリンク制御情報の伝送ができないＵｐＰＴＳ（Ｕｐｌｉｎｋ  Ｐｉｌｏｔ  Ｔｉｍｅ  Ｓｌｏｔ）の３部分からなる。各ハーフフレームに少なくとも１つの下りリンクサブフレーム、少なくとも１つの上りリンクサブフレームおよび最多で１つのスペシャルサブフレームを含む。ＦＳ２でサポートされる７種類の上りリンク−下りリンクサブフレーム配置方式は、表１に示される。
【０００５】
【表１】
2019511881.tif 000003
【０００６】
図３Ａと図３Ｂは、１つのサブフレームでＬＴＥ  ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）のデータとパイロット（すなわちデータ復調用の基準シンボルまたはＤＭＲＳ（ＤｅＭｏｄｕｌａｔｉｏｎ  Ｒｅｆｅｒｅｎｃｅ  Ｓｉｇｎａｌ）である。）の構成を示す。図３ＡのノーマルＣＰ（Ｃｙｃｌｉｃ  Ｐｒｅｆｉｘ）の場合、各サブフレームの各スロットの第４個のシンボルは、パイロット伝送に用いられ、残りのシンボルは、データ伝送に用いられる。図３Ｂの拡張ＣＰの場合、各サブフレームの各スロットの第３個のシンボルは、パイロット伝送に用いられ、残りのシンボルは、データ伝送に用いられる。上りリンクパイロットは、端末に固有のパイロットであり、ＰＵＳＣＨにスケジューリングされる実帯域幅のサイズに応じて生成される。上りリンクＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）をサポートするために、パイロットの列ごとに同一パイロットベーシックシーケンスに対するサイクリックシフトによって、同一リソースを共有する複数の端末のパイロットの直交伝送が実現される。よって、受信側は、サイクリックシフトによって、異なる端末のパイロット情報を区別することができる。
【０００７】
ＬＴＥシステムにおいて、関連技術でのチャネル伝送は、いずれもサブフレーム単位で定義されるものであり、１ｍｓより短いＴＴＩ伝送メカニズムが提案されていない。したがって、複数ＴＴＩによるＤＭＲＳ時間領域位置の共有に互いに干渉がないことを保証するために、新しいＤＭＲＳ伝送方式の設計が必要になる。
【発明の概要】
【０００８】
上記技術課題に鑑みて、本開示は、複数ＴＴＩによるＤＭＲＳ時間領域位置共有の相互干渉問題を解決する伝送方法、機器およびシステムを提供する。
【０００９】
本開示の実施例の１つの方面による伝送方法において、端末が、第１下りリンク制御チャネルを受信し、前記第１下りリンク制御チャネルに基づいて第１周波数領域リソースを確定し、前記第１周波数領域リソースで前記第１上りリンクシェアドチャネルを伝送することと、前記端末が、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成することと、前記端末が、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することとを含む。
【００１０】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【００１１】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【００１２】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【００１３】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義される。Ｍは、予め定義または配置される１以上の正の整数である。前記リソースユニットは、１つのシンボルの１つのサブキャリアであるか、１つのシンボルの周波数領域で連続するＸ２個のサブキャリアである。
【００１４】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【００１５】
選択可能に、前記周波数領域開始位置は、予め取り決められたルールに基づいて確定されるか、配置シグナリングによって通知される。
【００１６】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【００１７】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【００１８】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【００１９】
本開示の実施例の別の方面による伝送方法において、基地局が、端末による第１上りリンクシェアドチャネル伝送用の第１周波数領域リソースを確定し、前記端末に第１下りリンク制御チャネルを送信して前記第１周波数領域リソースを通知することと、前記基地局が、前記端末から送信される前記第１上りリンクシェアドチャネルを前記第１周波数領域リソースで受信することと、前記基地局が、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、前記基地局が、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することとを含む。
【００２０】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【００２１】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【００２２】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【００２３】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域で連続するＸ２個のサブキャリアである。
【００２４】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【００２５】
選択可能に、前記周波数領域開始位置は、予め取り決められたルールに基づいて確定されるか、配置シグナリングによって通知される。
【００２６】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【００２７】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【００２８】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【００２９】
本開示の実施例の別の方面による端末は、第１下りリンク制御チャネルを受信し、前記第１下りリンク制御チャネルに基づいて第１周波数領域リソースを確定し、前記第１周波数領域リソースで前記第１上りリンクシェアドチャネルを伝送することに用いられる第１受信モジュールと、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成することに用いられる第１確定モジュールと、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる伝送モジュールとを含む。
【００３０】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【００３１】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【００３２】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【００３３】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域で連続するＸ２個のサブキャリアである。
【００３４】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【００３５】
選択可能に、前記周波数領域開始位置は、予め取り決められたルールに基づいて確定されるか、配置シグナリングによって通知される。
【００３６】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【００３７】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【００３８】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【００３９】
本開示の実施例の別の方面による端末は、第１下りリンク制御チャネルを受信し、前記第１下りリンク制御チャネルに基づいて第１周波数領域リソースを確定し、前記第１周波数領域リソースで第１上りリンクシェアドチャネルを伝送し、周波数領域開始位置およびマッピング間隔または密度またはパイロット多重化因子に基づいて、パイロットシーケンスを第１周波数領域リソースにマッピングして伝送することに用いられる第１トランシーバと、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成し、前記パイロットシーケンスの前記第１周波数領域リソースでの周波数領域開始位置を確定することに用いられる第１プロセッサとを含む。
【００４０】
本開示の実施例の別の方面による基地局は、端末による第１上りリンクシェアドチャネル伝送用の第１周波数領域リソースを確定し、前記端末に第１下りリンク制御チャネルを送信して前記第１周波数領域リソースを通知することに用いられる送信モジュールと、前記端末から送信される前記第１上りリンクシェアドチャネルを前記第１周波数領域リソースで受信することに用いられる第２受信モジュールと、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することに用いられる第２確定モジュールと、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる第３受信モジュールとを含む。
【００４１】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【００４２】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【００４３】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【００４４】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域で連続するＸ２個のサブキャリアである。
【００４５】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【００４６】
選択可能に、前記周波数領域開始位置は、予め取り決められたルールに基づいて確定されるか、配置シグナリングによって通知される。
【００４７】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【００４８】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【００４９】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【００５０】
本開示の実施例の別の方面による基地局は、端末に第１下りリンク制御チャネルを送信して前記第１周波数領域リソースを通知し、前記端末から送信される前記第１上りリンクシェアドチャネルを前記第１周波数領域リソースで受信し、周波数領域開始位置およびマッピング間隔または密度またはパイロット多重化因子に基づいて、前記端末から前記第１周波数領域リソースで送信されるパイロットシーケンスを受信することに用いられる第２トランシーバと、端末による第１上りリンクシェアドチャネル伝送用の第１周波数領域リソースを確定し、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定し、前記端末のパイロットシーケンスの前記第１周波数領域リソースでの周波数領域開始位置を確定することに用いられる第２プロセッサとを含む。
【００５１】
本開示の実施例による別の方面による伝送システムは、第１下りリンク制御チャネルを受信し、前記第１下りリンク制御チャネルに基づいて第１周波数領域リソースを確定し、前記第１周波数領域リソースで前記第１上りリンクシェアドチャネルを伝送することと、前記第１周波数領域リソースのサイズおよびパイロットシーケンスの中の各エレメントの周波数領域でのマッピング間隔または密度またはパイロット多重化因子に基づいて、パイロットのシーケンス長を確定し、前記シーケンス長のパイロットシーケンスを生成することと、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる端末と、端末による第１上りリンクシェアドチャネル伝送用の第１周波数領域リソースを確定し、前記端末に第１下りリンク制御チャネルを送信して前記第１周波数領域リソースを通知することと、前記端末から送信される前記第１上りリンクシェアドチャネルを前記第１周波数領域リソースで受信することと、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる基地局とを含む。
【００５２】
異なるＴＴＩによるＤＭＲＳ伝送において、同一のシンボル位置が共有される場合、同一のＤＭＲＳシンボル位置で、くし状構造によって異なるサブキャリアが占用される。各ＴＴＩのＤＭＲＳは、スケジューリングされた周波数領域リソースで伝送される。よって、異なるＴＴＩのＤＭＲＳの周波数分割多重化による同一シンボルでの伝送が保証される。くし状構造によって、複数のデータ伝送のパイロットシーケンスの同一リソース区間での周波数分割多重伝送が実現される。よって、伝送帯域幅が変化する場合、データ伝送の周波数領域リソースが異なるもののＤＭＲＳリソースを共有する複数の端末のＤＭＲＳが区別可能であることを保証する。よって、上りリンクデータの正確な伝送と復調が保証され、複数ＴＴＩによるＤＭＲＳ時間領域位置共有に互いに干渉しないことを保証する。
【図面の簡単な説明】
【００５３】
本願の実施例の技術手段をより明確に説明するために、以下、実施例の記載に必要される図面を簡単に紹介する。明らかに、以下の記載に関する図面は、単に本願に記載されている実施例の一部である。当業者にとって、創造性のある作業をせずにこれらの図面から他の図面を得ることもできる。以下の図面は、本願の主旨を示すことに重点が置かれており、入念に実際のサイズに従って等比例に拡大または縮小して作製されたものではない。
【００５４】
【図１】関連技術のＬＴＥ  ＦＤＤシステムに使用されるフレーム構成を示す。
【図２】関連技術のＬＴＥ  ＴＤＤシステムに使用されるフレーム構成を示す。
【図３Ａ】関連技術のノーマルＣＰである場合に１つのサブフレーム内のデータとパイロット構成を示す。
【図３Ｂ】関連技術の拡張ＣＰである場合に１つのサブフレーム内のデータとパイロット構成を示す。
【図４】関連技術の一部周波数領域リソースでの重畳を示す。
【図５】本開示の実施例によるネットワーク構造を示す。
【図６】本開示の一部の実施例の伝送方法のフローチャートである。
【図７Ａ】それぞれ、本開示の一部の実施例においてパイロットのマッピング間隔または密度または多重化因子が２、３、４、６である場合のくし状マッピング方式を示す。
【図７Ｂ】それぞれ、本開示の一部の実施例においてパイロットのマッピング間隔または密度または多重化因子が２、３、４、６である場合のくし状マッピング方式を示す。
【図７Ｃ】それぞれ、本開示の一部の実施例においてパイロットのマッピング間隔または密度または多重化因子が２、３、４、６である場合のくし状マッピング方式を示す。
【図７Ｄ】それぞれ、本開示の一部の実施例においてパイロットのマッピング間隔または密度または多重化因子が２、３、４、６である場合のくし状マッピング方式を示す。
【図８】本開示の一部の実施例のパイロットマッピングを示す。
【図９】本開示の一部の実施例の伝送方法のフローチャートである。
【図１０】本開示の一部の実施例の端末を示す（その１）。
【図１１】本開示の一部の実施例の端末を示す（その２）。
【図１２】本開示の一部の実施例の基地局を示す（その１）。
【図１３】本開示の一部の実施例の基地局を示す（その２）。
【図１４】本開示の一部の実施例の伝送システムを示す。
【発明を実施するための形態】
【００５５】
以下、本開示の一部実施例の図面を参照しながら、本開示の一部実施例の技術手段を明確且つ完全に記載する。明らかに、記載されている実施例は、単に本開示の実施例の一部であり、全てではない。本開示の実施例に基づき、当業者が創造性のある作業をせずに為しえるほかの実施例のすべては、いずれも本開示の保護範囲に属するものである。
【００５６】
ＬＴＥシステムにおいて、関連技術でのチャネル伝送がいずれもサブフレーム単位に定義されており、１ｍｓより短いＴＴＩ伝送メカニズムが提案されていない。１ｍｓより短いＴＴＩ長でＰＵＳＣＨを伝送する場合、１つの簡単な方式として、ＬＴＥシステムで１ｍｓサブフレームに対して設計されるＤＭＲＳ構造を再利用することである。すなわち、ＬＴＥシステムで１つのサブフレームに対して定義したＤＭＲＳ伝送シンボル位置を変更することなく、同一サブフレームで１ｍｓより短いＴＴＩ長によって伝送される複数のＰＵＳＣＨは、ＬＴＥシステムのＤＭＲＳシンボル位置を共有することができる。しかし、これら複数のＰＵＳＣＨは、独立したスケジューリング情報を有し、そのスケジューリング帯域幅の一部のみ重畳する可能性がある。したがって、関連技術のメカニズムでの定義にしたがって、各自のスケジューリング帯域幅および対応するＤＭＲＳサイクリックシフト（ＣＳ：Ｃｙｃｌｉｃ  Ｓｈｉｆｔ）に基づいてＤＭＲＳシーケンスを生成するのであれば、同一のシンボルにマッピングすると、スケジューリング帯域幅の一部が重畳するため、ＤＭＲＳシーケンスが揃わず、同一周波数領域リソースにマッピングされて異なるＰＵＳＣＨに対応するＤＭＲＳシーケンスの間の直交性を破壊することになる。すなわち、図４に示すように、破線枠４１と破線枠４２で伝送されてそれぞれＴＴＩ１、ＴＴＩ２に対応するＤＭＲＳが一部の周波数領域リソースのみで重畳するため、ＤＭＲＳの直交性が破壊される。よって、基地局は、ＴＴＩ１とＴＴＩ２のＤＭＲＳを区別することができない。
【００５７】
本開示の実施例は、伝送方法、機器およびシステムを提供する。異なるＴＴＩによるＤＭＲＳ伝送において、同一のシンボル位置が共有される場合、同一のＤＭＲＳシンボル位置で、くし状構造によって異なるサブキャリアが占用される。各ＴＴＩのＤＭＲＳは、スケジューリングされた周波数領域リソースで伝送される。よって、異なるＴＴＩのＤＭＲＳの周波数分割多重化による同一シンボルでの伝送が保証される。
【００５８】
以下、図面を参照して本開示の例示的な実施例をさらに詳細に記載する。図面には本開示の例示的な実施例が示されているものの、本開示の実施例が様々な形式で実現されうるため、本開示は、ここに記載した実施例に限定されないと理解されたい。かえって、これらの実施例を提供することは、本開示をより徹底的に理解してもらい、本開示の範囲を完全に当業者に伝えるためである。
【００５９】
図５は、本開示の実施例によるネットワーク構造を示す。図５に示されているように、端末５１と基地局５２を含む。本開示の実施例において、端末５１（ＵＥ：Ｕｓｅｒ  Ｅｑｕｉｐｍｅｎｔ）は、モバイル電話（または携帯電話）や、無線信号の送受信が可能な他の機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、またはそれ以外の人の操作によらずに自発的に移動通信ネットワークと通信可能な機器などが含まれる。
【００６０】
本開示の実施例において、上記基地局は、形態が限定されず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ＥＮＢ（Ｅｎｈａｎｃｅｄ  Ｎｏｄｅ  Ｂ）、家庭強化型基地局（Ｆｅｍｔｏ  ｅＮＢまたはＨｏｍｅ  ｅＮｏｄｅ  ＢまたはＨｏｍｅ  ｅＮＢまたはＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）などである。
【００６１】
図６に示す一部の実施例の伝送方法は、具体的に下記ステップを含む。
【００６２】
ステップＳ６０１において、端末は、第１下りリンク制御チャネルを受信し、第１下りリンク制御チャネルに基づいて第１周波数領域リソースを確定し、第１周波数領域リソースで第１上りリンクシェアドチャネルを伝送する。
【００６３】
選択可能に、本実施例において、第１下りリンク制御チャネルは、第１上りリンクシェアドチャネルの上りリンクスケジューリンググラントをベアラーすることに用いられる。
【００６４】
選択可能に、本実施例において、第１下りリンク制御チャネルおよび／または前記第１上りリンクシェアドチャネルのＴＴＩ長は、１ｍｓ以下である。
【００６５】
ステップＳ６０２において、端末は、第１周波数領域リソースのサイズおよびパイロットシーケンスの中の各エレメントの周波数領域でのマッピング間隔または密度またはパイロット多重化因子に基づいて、端末のパイロットのシーケンス長を確定し、シーケンス長のパイロットシーケンスを生成する。
【００６６】
選択可能に、本実施例において、パイロットのシーケンス長は、（第１周波数領域リソースに含まれるサブキャリア数）／Ｋである。ここで、Ｋは、マッピング間隔または密度またはパイロット多重化因子である。
【００６７】
選択可能に、本実施例において、パイロット多重化因子は、同一の周波数領域リソース領域で周波数分割多重化によって同時に伝送可能な異なるパイロットシーケンスの数である。
【００６８】
選択可能に、本実施例において、マッピング間隔または密度またはパイロット多重化因子は、予め取り決められるか、配置シグナリングによって通知される。
【００６９】
具体的に、マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢ（物理リソースブロック）またはＳＣ（サブキャリア）またはリソースユニットとして予め定義される。Ｍは、予め定義または配置される１以上の正の整数である。リソースユニットは、１つのシンボル（すなわち１つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルである。以下同様。）の１つのサブキャリア、すなわちＲＥ（Ｒｅｓｏｕｒｃｅ  Ｅｌｅｍｅｎｔ。周波数で１つのサブキャリアおよび時間領域で１つのシンボルを１つのＲＥと称する。）に定義され、または、１つのシンボルの周波数領域で連続するＸ２個のＲＥ／ＳＣ（ＲＵ（Ｒｅｓｏｕｒｃｅ  Ｕｎｉｔ）と略称される。）に定義される。周波数領域伝送基本ユニットは、周波数領域スケジューリングの最小単位であり、すなわち１つのデータ伝送に占用される周波数領域リソースは、周波数領域伝送基本ユニットの整数倍である。
【００７０】
例えば、周波数領域伝送基本ユニットが１２個のサブキャリアまたは１つのＰＲＢまたは１つのＲＵ（１つのＲＵが１つのシンボルの周波数領域で連続する１２個のサブキャリアであると仮定する。）であることを例とし、マッピング間隔または密度またはパイロット多重化因子は、１、２、３、４、６個のサブキャリアのうちの１つの値であり、もちろん、他の値であってもよい。例えば、マッピング間隔または密度またはパイロット多重化因子が２個のサブキャリアであれば、２つのサブキャリア毎に１つのパイロットリソースを有することを示し、同一周波数領域リソース領域で２つの異なるパイロットシーケンスの周波数分割多重化が可能である。ここでマッピング間隔は、異なるサブキャリアの同一の相対的周波数領域位置を基準点とする間隔であると理解されてもよい。例えば、サブキャリア１とサブキャリア２の間で、サブキャリア１の下縁を起点としサブキャリア２の下縁までの長さが１つのサブキャリアであり、または、サブキャリア１の上縁を起点としサブキャリア２の上縁までの長さが１つのサブキャリアであると、サブキャリア１とサブキャリア２との間は、１つのサブキャリアの間隔であると見なす。
【００７１】
予め定義されたマッピング間隔または密度またはパイロット多重化因子集合のうちの１つの値は、ＲＲＣ（Ｒａｄｉｏ  Ｒｅｓｏｕｒｃｅ  Ｃｏｎｔｒｏｌ）、ＭＡＣ（Ｍｅｄｉａ  Ａｃｃｅｓｓ  Ｃｏｎｔｒｏｌ）、ＳＩＢ（Ｓｙｓｔｅｍ  Ｉｎｆｏｒｍａｔｉｏｎ  Ｂｌｏｃｋ）、ＭＩＢ（Ｍａｓｔｅｒ  Ｉｎｆｏｒｍａｔｉｏｎ  Ｂｌｏｃｋ）などのハイレイヤシグナリングによって予め配置されるか、第１下りリンク制御チャネルによって通知される。
【００７２】
ステップＳ６０３において、端末は、パイロットシーケンスの第１周波数領域リソースでの周波数領域開始位置を確定し、周波数領域開始位置およびマッピング間隔または密度またはパイロット多重化因子に基づいて、パイロットシーケンスを第１周波数領域リソースにマッピングして伝送する。
【００７３】
本実施例において、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【００７４】
選択可能に、周波数領域開始位置は、予め取り決められたルールに基づいて確定されるか、配置シグナリングによって通知される。
【００７５】
選択可能な方式１：前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。例えば、常に、その第１個の基本ＴＴＩを基準としてパイロット伝送の周波数領域開始位置を確定する。
【００７６】
選択可能な方式２：周波数領域開始位置が配置シグナリングに基づいて確定されることは、具体的に、ＲＲＣ、ＭＡＣ、ＳＩＢ、ＭＩＢなどのハイレイヤシグナリングによって予め周波数領域開始位置を配置すること、または、第１下りリンク制御チャネルによって周波数領域開始位置を通知することを含む。
【００７７】
同一シンボルの同一周波数領域リソースでパイロットを伝送する複数の第１上りリンクシェアドチャネルに対応する周波数領域開始位置が異なる。すなわち、同一の周波数領域区間（例えば同一のＰＲＢまたは周波数領域伝送基本ユニットまたはＲＵ）で周波数分割多重化によって異なる第１上りリンクシェアドチャネルのパイロットを伝送する。すなわち、異なる第１上りリンクシェアドチャネルのパイロットは、同一周波数領域区間の異なるサブキャリアにマッピングされる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。すなわち、同一の周波数領域区間（例えば同一のＰＲＢまたは周波数領域伝送基本ユニットまたはＲＵ）で符号分割多重化によって異なる第１上りリンクシェアドチャネルのパイロットを伝送する。すなわち、異なる第１上りリンクシェアドチャネルのパイロットは、同一のサブキャリアにマッピングされる。異なるサイクリックシフトまたは直交シーケンススペクトル拡散によって、同一リソースにマッピングされた複数のパイロットシーケンスを直交させる。よって、直交特性によって、異なる第１上りリンクシェアドチャネルのパイロットを区別することができる。この場合、異なる第１上りリンクシェアドチャネルのパイロットシーケンスの長さが同一であり、マッピングされるリソースが完全に同一であることが求められ、かつサイクリックシフトを使用した場合、パイロットベーシックシーケンスが同一であることも求められる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。すなわち、上記複数の第１上りリンクシェアドチャネルを２組に分ける。第１組の第１上りリンクシェアドチャネルのパイロットは、同一周波数領域区間（例えば同一のＰＲＢまたは周波数領域伝送基本ユニットまたはＲＵ）で周波数分割多重化によって伝送される。すなわち、第１組の異なる第１上りリンクシェアドチャネルのパイロットは、同一周波数領域区間の異なるサブキャリアにマッピングされる。第２組の第１上りリンクシェアドチャネルのパイロットは、同一の周波数領域区間（例えば同一のＰＲＢまたは周波数領域伝送基本ユニットまたはＲＵ）で符号分割多重化によって伝送される。すなわち第２組の異なる第１上りリンクシェアドチャネルのパイロットは、同一のサブキャリアにマッピングされる。異なるサイクリックシフトまたは直交シーケンススペクトル拡散によって、同一リソースにマッピングされた複数のパイロットシーケンスを直交させる。よって、直交特性によって、異なる第１上りリンクシェアドチャネルのパイロットを区別することができる。この場合、異なる第１上りリンクシェアドチャネルのパイロットシーケンスの長さが同一であり、マッピングされるリソースが完全に同一であることが求められ、かつサイクリックシフトを使用した場合、パイロットベーシックシーケンスが同一であることも求められる。当該方式は、多重伝送により、同一の周波数領域区間でより多くの第１上りリンクシェアドチャネルのパイロットの同時伝送をサポートする。
【００７８】
第１周波数領域リソースのサイズは、周波数領域伝送基本ユニットの整数倍であり、及び／または、第１周波数領域リソースは、周波数領域伝送基本ユニットを単位として指示を行う（すなわち前記第１周波数領域リソースは、システム中のＮ個の周波数領域伝送基本ユニットである。）。
【００７９】
図７Ａ〜図７Ｄは、それぞれ、パイロットのマッピング間隔または密度または多重化因子が２、３、４、６である場合のくし状マッピング方式である。ここで、１つのＲＵでのパイロットマッピングの例であるが、複数ＲＵの場合、各ＲＵのマッピング方式が同一である。１つのＲＵは、ここで周波数領域で連続する１２個のサブキャリア（ＳＣ）であると仮定し、他のＲＵのサイズおよび他のマッピング間隔または密度または多重化因子のパイロットマッピング方式は、類似なものであり、ここでは繰り返して記載しない。
【００８０】
システムでパイロットのマッピング間隔または密度または多重化因子を３である（すなわちＫ＝３）と予め取り決めると、集合｛０，１，２｝の中の値である３つの周波数領域開始位置ｋＴＣが存在し、３つの異なるデータ伝送による同一周波数領域リソース区間でのパイロット（ＤＭＲＳ）多重伝送をサポートする。各データ伝送のスケジューリング情報（すなわち第１下りリンク制御チャネル。以下同様。）によってパイロットマッピングの周波数領域開始位置を通知することを例とし、第１下りリンク制御チャネルに用いられるＤＣＩで２ビットによって周波数領域開始位置を指示すると仮定し、指示フィールドと指示内容との対応関係は、表２に示される。
【００８１】
なお、テーブルの中の対応関係を変更したり、指示するビット数を変えたり、指示される周波数領域開始位置を変えたりして得られるほかの方法は、上記方法とは類似し、いずれも本開示に含まれる。ここでは単に２ビットを例とする。システムで取り決められ、または配置可能なパイロットのマッピング間隔または密度または多重化因子の値がそれより大きくなると、より多くのビットを必要とされるが、指示方式が類似し、ここでは繰り返して記載しない。
【００８２】
【表２】
2019511881.tif 000004
【００８３】
長さが４つのシンボルであるＴＴＩ伝送を例とする。システムの上りリンク帯域幅が２０ＭＨｚであり、１００個のＰＲＢを含むと仮定し、すなわちサブキャリア番号が０〜１１９９であり、またはＲＵ番号が０〜９９である（ＲＵを単位とし、各ＲＵに１２個のＳＣを含むと仮定し、ＲＵ０から最小ＳＣ側から定義する。以下同様。）。
【００８４】
図８のように、端末１のスケジューリングシグナリングに指示されるデータ伝送に占用される周波数領域リソース（すなわち第１周波数領域リソース。以下同様。）は、サブキャリア１２〜３５またはＲＵ１〜ＲＵ２である。Ｋ＝３およびスケジューリングされる周波数領域リソースのサイズに基づいて、端末１のパイロットシーケンス長を２×１２／３＝８と確定し、長さが８であるパイロットシーケンスを生成し、かつ、そのスケジューリング情報に指示されるパイロットの周波数領域開始位置に基づいて、「００」の仮定から、端末１のパイロットの周波数領域開始位置を、周波数領域開始位置１またはｋＴＣ＝０に確定する。すると、割り当てられた周波数領域リソースの各ＲＵ（ＲＵ１〜ＲＵ２）において、いずれも周波数領域開始位置１から３つのＳＣおきに１つのパイロット変調シンボル（すなわち３つ毎の連続ＳＣに１つのパイロット変調シンボルが存在する。）をマッピングする方式でパイロットマッピングを行う。
【００８５】
引き続き図８を参照する。端末２のスケジューリングシグナリングにスケジューリングされるデータ伝送に占用される周波数領域リソースは、サブキャリア２４〜５９またはＲＵ２〜ＲＵ４である。Ｋ＝３およびスケジューリングされる周波数領域リソースのサイズに基づいて、端末２のパイロットシーケンス長を３×１２／３＝１２と確定し、長さが１２であるパイロットシーケンスを生成し、かつ、そのスケジューリング情報に指示されるパイロットの周波数領域開始位置に基づいて、「０１」の仮定から、端末２のパイロットの周波数領域開始位置を、周波数領域開始位置２またはｋＴＣ＝１に確定する。すると、割り当てられた周波数領域リソースの各ＲＵ（ＲＵ２〜ＲＵ４）において、いずれも周波数領域開始位置２から３つのＳＣおきに１つのパイロット変調シンボル（すなわち３つ毎の連続ＳＣに１つのパイロット変調シンボルが存在する。）をマッピングする方式でパイロットマッピングを行う。
【００８６】
引き続き図８を参照する。端末３のスケジューリングシグナリングにスケジューリングされるデータ伝送に占用される周波数領域リソースは、サブキャリア０〜２３またはＲＵ０〜ＲＵ１である。Ｋ＝３およびスケジューリングされる周波数領域リソースのサイズに基づいて、端末３のパイロットシーケンス長を２×１２／３＝８と確定し、長さが８であるパイロットシーケンスを生成し、かつ、そのスケジューリング情報に指示されるパイロットの周波数領域開始位置に基づいて、「１０」の仮定から、端末３のパイロットの周波数領域開始位置を、周波数領域開始位置３またはｋＴＣ＝２に確定する。すると、割り当てられた周波数領域リソースの各ＲＵ（ＲＵ０〜ＲＵ１）において、いずれも周波数領域開始位置３から３つのＳＣおきに１つのパイロット変調シンボル（すなわち３つ毎の連続ＳＣに１つのパイロット変調シンボルが存在する。）をマッピングする方式でパイロットマッピングを行う。
【００８７】
なお、上記実施例において、パイロットのマッピング間隔または密度またはパイロット多重化因子は、ハイレイヤシグナリングのようなシグナリングまたは第１制御チャネルによって配置されてもよい。上記端末１、端末２、端末３は、同一端末であってもよい。すなわち、上記３つのデータ伝送は、同一端末の異なる３つのデータ伝送に対応する。
【００８８】
さらに、同一周波数領域リソースでのパイロット多重化容量を高めるために、上記方法を基に、周波数領域開始位置配置が同一である複数のデータ伝送またはＴＴＩ（すなわちパイロット）に対し、さらにシグナリングによってパイロットのサイクリックシフト値または直交シーケンスを配置してもよい（例えば第１下りリンク制御チャネルでのサイクリックシフト配置情報に基づいてパイロットのサイクリックシフト値を確定する。）。よって、同一サブキャリアで伝送されて異なるデータ伝送に対応するパイロットが直交することをサポートする。しかし、この場合、異なるデータ伝送に対応するサイクリックシフトまたは直交スペクトル拡散後のパイロットの間の直交性を保証するために、パイロットシーケンスの長さが同一であることが求められる。
【００８９】
図９に示す一部の実施例の伝送方法は、具体的に下記ステップを含む。
【００９０】
ステップＳ９０１において、基地局は、端末による第１上りリンクシェアドチャネル伝送用の第１周波数領域リソースを確定し、端末に第１下りリンク制御チャネルを送信して第１周波数領域リソースを通知する。
【００９１】
選択可能に、本実施例において、第１下りリンク制御チャネルは、第１上りリンクシェアドチャネルの上りリンクスケジューリンググラントをベアラーすることに用いられる。
【００９２】
選択可能に、本実施例において、第１下りリンク制御チャネルおよび／または前記第１上りリンクシェアドチャネルのＴＴＩ長は、１ｍｓ以下である。
【００９３】
ステップＳ９０２において、基地局は、端末から送信される第１上りリンクシェアドチャネルを第１周波数領域リソースで受信する。
【００９４】
ステップＳ９０３において、基地局は、第１周波数領域リソースのサイズおよび端末のパイロットシーケンスの中の各エレメントの周波数領域でのマッピング間隔または密度またはパイロット多重化因子に基づいて、端末のパイロットのシーケンス長を確定する。
【００９５】
選択可能に、本実施例において、パイロットのシーケンス長は、（第１周波数領域リソースに含まれるサブキャリア数）／Ｋである。ここで、Ｋは、マッピング間隔または密度またはパイロット多重化因子である。
【００９６】
選択可能に、本実施例において、パイロット多重化因子は、同一の周波数領域リソース領域で周波数分割多重化によって同時に伝送可能な異なるパイロットシーケンスの数である。
【００９７】
選択可能に、本実施例において、マッピング間隔または密度またはパイロット多重化因子は、予め取り決められるか、配置シグナリングによって通知される。
【００９８】
具体的に、マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢ（物理リソースブロック）またはＳＣ（サブキャリア）またはリソースユニットとして予め定義される。Ｍは、予め定義または配置される１以上の正の整数である。リソースユニットは、１つのシンボル（すなわち１つのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルである。以下同様。）の１つのサブキャリア、すなわちＲＥ（Ｒｅｓｏｕｒｃｅ  Ｅｌｅｍｅｎｔ。周波数で１つのサブキャリアおよび時間領域で１つのシンボルを１つのＲＥと称する。）に定義され、または、１つのシンボルの周波数領域で連続するＸ２個のＲＥ／ＳＣ（ＲＵ（Ｒｅｓｏｕｒｃｅ  Ｕｎｉｔ）と略称される。）に定義される。周波数領域伝送基本ユニットは、周波数領域スケジューリングの最小単位であり、すなわち１つのデータ伝送に占用される周波数領域リソースは、周波数領域伝送基本ユニットの整数倍である。
【００９９】
例えば、周波数領域伝送基本ユニットが１２個のサブキャリアまたは１つのＰＲＢまたは１つのＲＵ（１つのＲＵが１つのシンボルの周波数領域で連続する１２個のサブキャリアであると仮定する。）であることを例とし、マッピング間隔または密度またはパイロット多重化因子は、１、２、３、４、６個のサブキャリアのうちの１つの値であり、もちろん、他の値であってもよい。例えば、マッピング間隔または密度またはパイロット多重化因子が２個のサブキャリアであれば、２つのサブキャリア毎に１つのパイロットリソースを有することを示し、同一周波数領域リソース領域で２つの異なるパイロットシーケンスの周波数分割多重化が可能である。ここでマッピング間隔は、異なるサブキャリアの同一の相対的周波数領域位置を基準点とする間隔であると理解されてもよい。例えば、サブキャリア１とサブキャリア２の間で、サブキャリア１の下縁を起点としサブキャリア２の下縁までの長さが１つのサブキャリアであり、または、サブキャリア１の上縁を起点としサブキャリア２の上縁までの長さが１つのサブキャリアであると、サブキャリア１とサブキャリア２との間は、１つのサブキャリアの間隔であると見なす。
【０１００】
予め定義されたマッピング間隔または密度またはパイロット多重化因子集合のうちの１つの値は、ＲＲＣ（Ｒａｄｉｏ  Ｒｅｓｏｕｒｃｅ  Ｃｏｎｔｒｏｌ）、ＭＡＣ（Ｍｅｄｉａ  Ａｃｃｅｓｓ  Ｃｏｎｔｒｏｌ）、ＳＩＢ（Ｓｙｓｔｅｍ  Ｉｎｆｏｒｍａｔｉｏｎ  Ｂｌｏｃｋ）、ＭＩＢ（Ｍａｓｔｅｒ  Ｉｎｆｏｒｍａｔｉｏｎ  Ｂｌｏｃｋ）などのハイレイヤシグナリングによって予め配置されるか、第１下りリンク制御チャネルによって通知される。
【０１０１】
ステップＳ９０４において、基地局は、端末のパイロットシーケンスの第１周波数領域リソースでの周波数領域開始位置を確定し、前記周波数領域開始位置および前記マッピング間隔または密度またはパイロット多重化因子に基づいて、端末から前記第１周波数領域リソースで送信されるパイロットシーケンスを受信する。
【０１０２】
本実施例において、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【０１０３】
選択可能に、周波数領域開始位置は、予め取り決められたルールに基づいて確定されるか、配置シグナリングによって通知される。
【０１０４】
選択可能な方式１：前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。例えば、常に、その第１個の基本ＴＴＩを基準としてパイロット伝送の周波数領域開始位置を確定する。
【０１０５】
選択可能な方式２：周波数領域開始位置が配置シグナリングに基づいて確定されることは、具体的に、ＲＲＣ、ＭＡＣ、ＳＩＢ、ＭＩＢなどのハイレイヤシグナリングによって予め周波数領域開始位置を配置すること、または、第１下りリンク制御チャネルによって周波数領域開始位置を通知することを含む。
【０１０６】
同一シンボルの同一周波数領域リソースでパイロットを伝送する複数の第１上りリンクシェアドチャネルに対応する周波数領域開始位置が異なる。すなわち、同一の周波数領域区間（例えば同一のＰＲＢまたは周波数領域伝送基本ユニットまたはＲＵ）で周波数分割多重化によって異なる第１上りリンクシェアドチャネルのパイロットを伝送する。すなわち、異なる第１上りリンクシェアドチャネルのパイロットは、同一周波数領域区間の異なるサブキャリアにマッピングされる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。すなわち、同一の周波数領域区間（例えば同一のＰＲＢまたは周波数領域伝送基本ユニットまたはＲＵ）で符号分割多重化によって異なる第１上りリンクシェアドチャネルのパイロットを伝送する。すなわち、異なる第１上りリンクシェアドチャネルのパイロットは、同一のサブキャリアにマッピングされる。異なるサイクリックシフトまたは直交シーケンススペクトル拡散によって、同一リソースにマッピングされた複数のパイロットシーケンスを直交させる。よって、直交特性によって、異なる第１上りリンクシェアドチャネルのパイロットを区別することができる。この場合、異なる第１上りリンクシェアドチャネルのパイロットシーケンスの長さが同一であり、マッピングされるリソースが完全に同一であることが求められ、かつサイクリックシフトを使用した場合、パイロットベーシックシーケンスが同一であることも求められる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。すなわち上記複数の第１上りリンクシェアドチャネルを２組に分ける。第１組の第１上りリンクシェアドチャネルのパイロットは、同一周波数領域区間（例えば同一のＰＲＢまたは周波数領域伝送基本ユニットまたはＲＵ）で周波数分割多重化によって伝送される。すなわち、第１組の異なる第１上りリンクシェアドチャネルのパイロットは、同一周波数領域区間の異なるサブキャリアにマッピングされる。第２組の第１上りリンクシェアドチャネルのパイロットは、同一の周波数領域区間（例えば同一のＰＲＢまたは周波数領域伝送基本ユニットまたはＲＵ）で符号分割多重化によって伝送される。すなわち、第２組の異なる第１上りリンクシェアドチャネルのパイロットは、同一のサブキャリアにマッピングされる。異なるサイクリックシフトまたは直交シーケンススペクトル拡散によって、同一リソースにマッピングされた複数のパイロットシーケンスを直交させる。よって、直交特性によって、異なる第１上りリンクシェアドチャネルのパイロットを区別することができる。この場合、異なる第１上りリンクシェアドチャネルのパイロットシーケンスの長さが同一であり、マッピングされるリソースが完全に同一であることが求められ、かつサイクリックシフトを使用した場合、パイロットベーシックシーケンスが同一であることも求められる。当該方式は、多重伝送により、同一の周波数領域区間でより多くの第１上りリンクシェアドチャネルのパイロットの同時伝送をサポートする。
【０１０７】
第１周波数領域リソースのサイズは、周波数領域伝送基本ユニットの整数倍であり、及び／または、第１周波数領域リソースは、周波数領域伝送基本ユニットを単位として指示を行う（すなわち前記第１周波数領域リソースは、システム中のＮ個の周波数領域伝送基本ユニットである。）。
【０１０８】
なお、基地局側実施例のほかの内容は、端末側実施例の内容とは同一であり、ここでは繰り返して記載しない。
【０１０９】
本実施例において、異なるＴＴＩによるＤＭＲＳ伝送において、同一のシンボル位置が共有される場合、同一のＤＭＲＳシンボル位置で、くし状構造によって異なるサブキャリアが占用される。各ＴＴＩのＤＭＲＳは、スケジューリングされた周波数領域リソースで伝送される。よって、異なるＴＴＩのＤＭＲＳの周波数分割多重化による同一シンボルでの伝送が保証される。くし状構造によって、複数のデータ伝送のパイロットシーケンスの同一リソース区間での周波数分割多重伝送が実現される。よって、伝送帯域幅が変化する場合、データ伝送の周波数領域リソースが異なるもののＤＭＲＳリソースを共有する複数の端末のＤＭＲＳが区別可能であることを保証する。よって、上りリンクデータの正確な伝送と復調が保証され、複数ＴＴＩによるＤＭＲＳ時間領域位置共有に互いに干渉しないことを保証する。
【０１１０】
図１０に示す一部の実施例の端末は、第１下りリンク制御チャネルを受信し、前記第１下りリンク制御チャネルに基づいて第１周波数領域リソースを確定し、前記第１周波数領域リソースで第１上りリンクシェアドチャネルを伝送することに用いられる第１受信モジュール１００１と、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成することに用いられる第１確定モジュール１００２と、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる伝送モジュール１００３とを含む。
【０１１１】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【０１１２】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【０１１３】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【０１１４】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域で連続するＸ２個のサブキャリアである。
【０１１５】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【０１１６】
選択可能に、前記周波数領域開始位置は、予め取り決められたルールに基づいて確定されるか、配置シグナリングによって通知される。
【０１１７】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【０１１８】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【０１１９】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【０１２０】
本実施例において、上記端末は、図６〜図８に示される実施例の端末である。かつ図６〜図８に示される実施例の端末のすべての実施形態は、本実施例の端末によって実現することができ、ここでは繰り返して記載しない。
【０１２１】
図１１に示す一部の実施例の端末は、第１下りリンク制御チャネルを受信し、前記第１下りリンク制御チャネルに基づいて第１周波数領域リソースを確定し、前記第１周波数領域リソースで第１上りリンクシェアドチャネルを伝送し、周波数領域開始位置およびマッピング間隔または密度またはパイロット多重化因子に基づいて、パイロットシーケンスを第１周波数領域リソースにマッピングして伝送することに用いられる第１トランシーバ１１０１と、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成し、前記パイロットシーケンスの前記第１周波数領域リソースでの周波数領域開始位置を確定することに用いられる第１プロセッサ１１０２とを含む。
【０１２２】
ここで、図１１において、バスアーキテクチャは、任意数の相互接続するバスとブリッジを含み、具体的に、第１プロセッサ１１０２をはじめとする１つ又は複数のプロセッサと第１メモリ１１０３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。第１トランシーバー１１０１は、複数の部品であってもよく、即ち送信機と受信機を含み、伝送媒体でほかの各種類の装置と通信するユニットとして提供される。ユーザ端末によっては、第１ユーザインタフェース１１０４は、内部接続や外部接続する機器のインタフェースであってもよい。接続する機器は、キーパッド、ディスプレイ、スピーカ、マイクロフォン、ジョイスティックなどを含むが、それらに限られない。
【０１２３】
本実施例において、上記端末は、図６〜図８に示される実施例の端末である。かつ図６〜図８に示される実施例の端末のすべての実施形態は、本実施例の端末によって実現することができ、ここでは繰り返して記載しない。
【０１２４】
図１２に示す一部の実施例の基地局は、端末による第１上りリンクシェアドチャネル伝送用の第１周波数領域リソースを確定し、前記端末に第１下りリンク制御チャネルを送信して前記第１周波数領域リソースを通知することに用いられる送信モジュール１２０１と、前記端末から送信される前記第１上りリンクシェアドチャネルを前記第１周波数領域リソースで受信することに用いられる第２受信モジュール１２０２と、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することに用いられる第２確定モジュール１２０３と、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる第３受信モジュール１２０４とを含む。
【０１２５】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【０１２６】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【０１２７】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【０１２８】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域での連続するＸ２個のサブキャリアである。
【０１２９】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【０１３０】
選択可能に、前記周波数領域開始位置は、予め取り決められたルールに基づいて確定されるか、配置シグナリングによって通知される。
【０１３１】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【０１３２】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【０１３３】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【０１３４】
本実施例において、上記基地局は、図９に示される実施例の基地局である。かつ図９に示される実施例の基地局のすべての実施形態は、本実施例の基地局によって実現することができ、ここでは繰り返して記載しない。
【０１３５】
図１３に示す一部の実施例の基地局は、端末に第１下りリンク制御チャネルを送信して第１周波数領域リソースを通知し、前記端末から送信される第１上りリンクシェアドチャネルを前記第１周波数領域リソースで受信し、周波数領域開始位置およびマッピング間隔または密度またはパイロット多重化因子に基づいて、前記端末から前記第１周波数領域リソースで送信されるパイロットシーケンスを受信することに用いられる第２トランシーバ１３０１と、端末による第１上りリンクシェアドチャネル伝送用の第１周波数領域リソースを確定し、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定し、前記端末のパイロットシーケンスの前記第１周波数領域リソースでの周波数領域開始位置を確定することに用いられる第２プロセッサ１３０２とを含む。
【０１３６】
ここで、図１３において、バスアーキテクチャは、任意数の相互接続するバスとブリッジを含み、具体的に、第２プロセッサ１３０２をはじめとする１つ又は複数のプロセッサと第２メモリ１３０３をはじめとするメモリの各種類の回路が接続したものである。バスアーキテクチャは、周辺イクイップメント、レギュレーター、電力管理回路などの各種類のほかの回路を接続したものであってもよい。バスインタフェースにより、インタフェースが提供される。第２トランシーバー１３０１は、複数の部品であってもよく、即ち送信機と受信機を含み、伝送媒体でほかの各種類の装置と通信するユニットとして提供される。
【０１３７】
選択可能に、前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下である。
【０１３８】
選択可能に、前記パイロットのシーケンス長は、（前記第１周波数領域リソースに含まれるサブキャリア数）／Ｋであり、ここで、Ｋは、前記マッピング間隔または密度またはパイロット多重化因子である。
【０１３９】
選択可能に、前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドである。
【０１４０】
選択可能に、前記マッピング間隔または密度またはパイロット多重化因子は、周波数領域伝送基本ユニットに含まれるサブキャリア数の約数である。ここで、周波数領域伝送基本ユニットは、周波数領域のＭ個のＰＲＢまたはＳＣまたはリソースユニットとして予め定義される。Ｍは、予め定義または配置される１以上の正の整数である。前記リソースユニットは、１つのシンボルの１つのサブキャリアであるか、１つのシンボルの周波数領域での連続するＸ２個のサブキャリアである。
【０１４１】
選択可能に、前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値である。
【０１４２】
選択可能に、前記周波数領域開始位置は、予め取り決められたルールに基づいて確定されるか、配置シグナリングによって通知される。
【０１４３】
選択可能に、前記周波数領域開始位置が予め取り決められたルールに基づいて確定されることは、具体的に、一回のデータ伝送に許容される最小ＴＴＩ長を基本ＴＴＩ長とし、毎回のデータ伝送で基本ＴＴＩを整数倍の数で占用しかつ１つのサブフレームに収まるようにしたとき、１つのサブフレームのうち、基本ＴＴＩ長毎の各基本ＴＴＩとパイロット伝送の周波数領域開始位置との対応関係を予め取り決めることと、１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含む。前記周波数領域開始位置が配置シグナリングに基づいて確定されることは、具体的に、ハイレイヤシグナリングによって予め周波数領域開始位置を配置すること、または、前記第１下りリンク制御チャネルによって周波数領域開始位置を通知することを含む。
【０１４４】
選択可能に、同一シンボルの同一周波数領域リソースでパイロットを伝送する複数の第１上りリンクシェアドチャネルに対応する周波数領域開始位置が異なる。または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なる。または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる。
【０１４５】
選択可能に、前記第１周波数領域リソースのサイズは、周波数領域伝送基本ユニットの整数倍であり、及び／または、前記第１周波数領域リソースは、周波数領域伝送基本ユニットを単位として指示を行う。
【０１４６】
本実施例において、上記基地局は、図９に示される実施例の基地局である。かつ図９に示される実施例の基地局のすべての実施形態は、本実施例の基地局によって実現することができ、ここでは繰り返して記載しない。
【０１４７】
図１４に示す一部の実施例の伝送システムは、第１下りリンク制御チャネルを受信し、前記第１下りリンク制御チャネルに基づいて第１周波数領域リソースを確定し、前記第１周波数領域リソースで第１上りリンクシェアドチャネルを伝送することと、前記第１周波数領域リソースのサイズおよびパイロットシーケンスの中の各エレメントの周波数領域でのマッピング間隔または密度またはパイロット多重化因子に基づいて、パイロットのシーケンス長を確定し、前記シーケンス長のパイロットシーケンスを生成することと、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる端末１４０１と、端末による第１上りリンクシェアドチャネル伝送用の第１周波数領域リソースを確定し、前記端末に第１下りリンク制御チャネルを送信して前記第１周波数領域リソースを通知することと、前記端末から送信される前記第１上りリンクシェアドチャネルを前記第１周波数領域リソースで受信することと、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる基地局１４０２とを含む。
【０１４８】
本実施例において、基地局１４０２と端末１４０１は、図６〜図１３に示される実施例で紹介された基地局と端末である。その実施形態について、図６〜図１３に示される実施例を参照されたく、同一の技術効果を奏することもでき、ここでは繰り返して記載しない。
【０１４９】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【０１５０】
本発明の各実施例において、上記各プロセスの番号の大きさは、実行順の前後を意味するのではなく、各プロセスの実行順は、その機能および内在的な論理によって確定されるものであり、本発明の実施例の実施プロセスに対しいっさい限定を構成しないと理解すべきである。
【０１５１】
また、本文において、「システム」と「ネットワーク」は、常に互換して使用することができる。
【０１５２】
本文において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本文において、「／」の記号は、通常、前後の関連対象が「または」の関係であることを示す。
【０１５３】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【０１５４】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１５５】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１５６】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１５７】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2019511881.tif 000005
【図２】
2019511881.tif 000006
【図３Ａ】
2019511881.tif 000007
【図３Ｂ】
2019511881.tif 000008
【図４】
2019511881.tif 000009
【図５】
2019511881.tif 000010
【図６】
2019511881.tif 000011
【図７Ａ】
2019511881.tif 000012
【図７Ｂ】
2019511881.tif 000013
【図７Ｃ】
2019511881.tif 000014
【図７Ｄ】
2019511881.tif 000015
【図８】
2019511881.tif 000016
【図９】
2019511881.tif 000017
【図１０】
2019511881.tif 000018
【図１１】
2019511881.tif 000019
【図１２】
2019511881.tif 000020
【図１３】
2019511881.tif 000021
【図１４】
2019511881.tif 000022
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
端末が、第１下りリンク制御チャネルを受信し、前記第１下りリンク制御チャネルに基づいて第１周波数領域リソースを確定し、前記第１周波数領域リソースで第１上りリンクシェアドチャネルを伝送することと、
前記端末が、前記第１周波数領域リソースのサイズおよびパイロットシーケンスの中の各エレメントの周波数領域でのマッピング間隔または密度またはパイロット多重化因子に基づいて、前記端末のパイロットのシーケンス長を確定し、前記シーケンス長のパイロットシーケンスを生成することと、
前記端末が、前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することとを含む伝送方法。
【請求項２】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下であり、および／または、
前記パイロットのシーケンス長は、（前記第１周波数領域リソースに含まれるサブキャリア数）／Ｋであり、ここで、Ｋは、前記マッピング間隔または密度またはパイロット多重化因子であり、および／または、
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドであり、および／または、
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアであり、および／または、
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値であり、および／または、
前記周波数領域開始位置は、予め取り決められたルールに基づいて確定されるか、配置シグナリングによって通知され、および／または、
前記第１周波数領域リソースのサイズは、周波数領域伝送基本ユニットの整数倍であり、及び／または、前記第１周波数領域リソースは、周波数領域伝送基本ユニットを単位として指示を行う請求項１に記載の伝送方法。
【請求項３】
前記周波数領域開始位置が予め取り決められたルールに基づいて確定されることは、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、
ハイレイヤシグナリングによって予め周波数領域開始位置を配置すること、または、前記第１下りリンク制御チャネルによって周波数領域開始位置を通知することを含む請求項２に記載の伝送方法。
【請求項４】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項１に記載の伝送方法。
【請求項５】
基地局が、端末による第１上りリンクシェアドチャネル伝送用の第１周波数領域リソースを確定し、前記端末に第１下りリンク制御チャネルを送信して前記第１周波数領域リソースを通知することと、
前記基地局が、前記端末から送信される前記第１上りリンクシェアドチャネルを前記第１周波数領域リソースで受信することと、
前記基地局が、前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することと、
前記基地局が、前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することとを含む伝送方法。
【請求項６】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下であり、および／または、
前記パイロットのシーケンス長は、（前記第１周波数領域リソースに含まれるサブキャリア数）／Ｋであり、ここで、Ｋは、前記マッピング間隔または密度またはパイロット多重化因子であり、および／または、
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドであり、および／または、
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアであり、および／または、
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値であり、および／または、
前記周波数領域開始位置は、予め取り決められたルールに基づいて確定されるか、配置シグナリングによって通知され、および／または、
前記第１周波数領域リソースのサイズは、周波数領域伝送基本ユニットの整数倍であり、及び／または、前記第１周波数領域リソースは、周波数領域伝送基本ユニットを単位として指示を行う請求項５に記載の伝送方法。
【請求項７】
前記周波数領域開始位置が予め取り決められたルールに基づいて確定されることは、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、
ハイレイヤシグナリングによって予め周波数領域開始位置を配置すること、または、前記第１下りリンク制御チャネルによって周波数領域開始位置を通知することを含む請求項６に記載の伝送方法。
【請求項８】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項５に記載の伝送方法。
【請求項９】
第１下りリンク制御チャネルを受信し、前記第１下りリンク制御チャネルに基づいて第１周波数領域リソースを確定し、前記第１周波数領域リソースで第１上りリンクシェアドチャネルを伝送することに用いられる第１受信モジュールと、
前記第１周波数領域リソースのサイズおよびパイロットシーケンスの中の各エレメントの周波数領域でのマッピング間隔または密度またはパイロット多重化因子に基づいて、端末のパイロットのシーケンス長を確定し、前記シーケンス長のパイロットシーケンスを生成することに用いられる第１確定モジュールと、
前記パイロットシーケンスの前記第１周波数領域リソースでの周波数領域開始位置を確定し、前記周波数領域開始位置および前記マッピング間隔または密度またはパイロット多重化因子に基づいて、前記パイロットシーケンスを前記第１周波数領域リソースにマッピングして伝送することに用いられる伝送モジュールとを含む端末。
【請求項１０】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下であり、および／または、
前記パイロットのシーケンス長は、（前記第１周波数領域リソースに含まれるサブキャリア数）／Ｋであり、ここで、Ｋは、前記マッピング間隔または密度またはパイロット多重化因子であり、および／または、
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドであり、および／または、
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアであり、および／または、
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値であり、および／または、
前記周波数領域開始位置は、予め取り決められたルールに基づいて確定されるか、配置シグナリングによって通知され、および／または、
前記第１周波数領域リソースのサイズは、周波数領域伝送基本ユニットの整数倍であり、及び／または、前記第１周波数領域リソースは、周波数領域伝送基本ユニットを単位として指示を行う請求項９に記載の端末。
【請求項１１】
前記周波数領域開始位置が予め取り決められたルールに基づいて確定されることは、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、
ハイレイヤシグナリングによって予め周波数領域開始位置を配置すること、または、前記第１下りリンク制御チャネルによって周波数領域開始位置を通知することを含む請求項１０に記載の端末。
【請求項１２】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項９に記載の端末。
【請求項１３】
端末による第１上りリンクシェアドチャネル伝送用の第１周波数領域リソースを確定し、前記端末に第１下りリンク制御チャネルを送信して前記第１周波数領域リソースを通知することに用いられる送信モジュールと、
前記端末から送信される前記第１上りリンクシェアドチャネルを前記第１周波数領域リソースで受信することに用いられる第２受信モジュールと、
前記第１周波数領域リソースのサイズおよび前記端末のパイロットシーケンスの中の各エレメントの周波数領域でのマッピング間隔または密度またはパイロット多重化因子に基づいて、前記端末のパイロットのシーケンス長を確定することに用いられる第２確定モジュールと、
前記端末のパイロットシーケンスの前記第１周波数領域リソースでの周波数領域開始位置を確定し、前記周波数領域開始位置および前記マッピング間隔または密度またはパイロット多重化因子に基づいて、前記端末から前記第１周波数領域リソースで送信されるパイロットシーケンスを受信することに用いられる第３受信モジュールとを含む基地局。
【請求項１４】
前記第１下りリンク制御チャネルは、前記第１上りリンクシェアドチャネルの上りリンクスケジューリンググラントをベアラーすることに用いられ、および／または、前記第１下りリンク制御チャネルおよび／または前記第１上りリンクシェアドチャネルのＴＴＩ長は、１ｍｓ以下であり、および／または、
前記パイロットのシーケンス長は、（前記第１周波数領域リソースに含まれるサブキャリア数）／Ｋであり、ここで、Ｋは、前記マッピング間隔または密度またはパイロット多重化因子であり、および／または、
前記マッピング間隔または密度またはパイロット多重化因子は、予め取り決められるか、配置シグナリングによって通知され、ここで、前記配置シグナリングは、ハイレイヤシグナリングまたは前記第１下りリンク制御チャネルでの指示フィールドであり、および／または、
前記マッピング間隔または密度またはパイロット多重化因子は、周波数領域伝送基本ユニットに含まれるサブキャリア数の約数であり、ここで、周波数領域伝送基本ユニットは、周波数領域のＭ個のＰＲＢ（Ｐｈｙｓｉｃａｌ  Ｒｅｓｏｕｒｃｅ  Ｂｌｏｃｋ）またはＳＣ（Ｓｕｂ−Ｃａｒｒｉｅｒ）またはリソースユニットとして予め定義され、Ｍは、予め定義または配置される１以上の正の整数であり、前記リソースユニットは、１つのシンボルの１つのサブキャリアであるか、１つのシンボルの周波数領域で連続するＸ２個のサブキャリアであり、および／または、
前記周波数領域開始位置ｋＴＣは、Ｋ個の異なる周波数領域開始位置元素を含む集合｛０，１，…，Ｋ−１｝または｛１，２，…，Ｋ｝に属し、ここで、Ｋは、前記マッピング間隔または密度またはパイロット多重化因子の値であり、および／または、
前記周波数領域開始位置は、予め取り決められたルールに基づいて確定されるか、配置シグナリングによって通知され、および／または、
前記第１周波数領域リソースのサイズは、周波数領域伝送基本ユニットの整数倍であり、および／または、前記第１周波数領域リソースは、周波数領域伝送基本ユニットを単位として指示を行う請求項１３に記載の基地局。
【請求項１５】
前記周波数領域開始位置が予め取り決められたルールに基づいて確定されることは、
一回のデータ伝送に許容される最小ＴＴＩ（Ｔｒａｎｓｍｉｓｓｉｏｎ  Ｔｉｍｅ  Ｉｎｔｅｒｖａｌ）長を基本ＴＴＩ長とし、毎回のデータ伝送で基本ＴＴＩを整数倍の数で占用しかつ１つのサブフレームに収まるようにしたとき、
１つのサブフレームのうち、基本ＴＴＩ長毎の各基本ＴＴＩとパイロット伝送の周波数領域開始位置との対応関係を予め取り決めることと、
１つのデータ伝送が１つの基本ＴＴＩ長を超えると、当該データ伝送のパイロットの周波数領域開始位置を、占用する基本ＴＴＩ長のうち１つの基本ＴＴＩに対応するパイロット伝送の周波数領域開始位置に確定することとを含み、
前記周波数領域開始位置が配置シグナリングに基づいて確定されることは、
ハイレイヤシグナリングによって予め周波数領域開始位置を配置すること、または、前記第１下りリンク制御チャネルによって周波数領域開始位置を通知することを含む請求項１４に記載の基地局。
【請求項１６】
同一シンボルの同一周波数領域リソースでパイロットを伝送する複数の第１上りリンクシェアドチャネルに対応する周波数領域開始位置が異なり、
または、同一シンボルの同一周波数領域リソースでパイロットを伝送する複数の第１上りリンクシェアドチャネルに対応する周波数領域開始位置が同一でありかつ前記複数の第１上りリンクシェアドチャネルに対応するパイロットサイクリックシフトまたはパイロット直交シーケンスが異なり、
または、同一シンボルの同一周波数領域リソースでパイロットを伝送する複数の第１上りリンクシェアドチャネルのうち一部の第１上りリンクシェアドチャネルに対応する周波数領域開始位置が異なり、一部の第１上りリンクシェアドチャネルに対応する周波数領域開始位置が同一でありかつ対応するパイロットサイクリックシフトまたはパイロット直交シーケンスが異なる請求項１３に記載の基地局。
【国際調査報告】
2019511881.tif 000023
2019511881.tif 000024
2019511881.tif 000025
2019511881.tif 000026